(57)【要約】  本発明の実施例によるバッテリーパックは、バッテリーセルと、前記バッテリーセルを収容するように構成され、前記バッテリーセルから発生するガスが排出されるベントホールが形成されたケーシングと、前記ベントホールの内部に前記ベントホールを遮断するように設けられ、前記ガスが通過するように構成され、前記ガスが前記ベントホールを通して前記ケーシングの外部に排出されるとき、前記ガスの流れによって音を発生させるように構成される音発生器とを含むことができる。
2021516435.tif 000002
【特許請求の範囲】
【請求項１】
バッテリーセルと、
前記バッテリーセルを収容するように構成され、前記バッテリーセルから発生するガスが排出されるベントホールが形成されたケーシングと、
前記ベントホールの内部に前記ベントホールを遮断するように設けられ、前記ガスが通過するように構成され、前記ガスが前記ベントホールを通して前記ケーシングの外部に排出されるとき、前記ガスの流れによって音を発生させるように構成される音発生器と、を含む、バッテリーパック。
【請求項２】
前記音発生器は、
前記ベントホールの流入口側に形成される第１オリフィスを有する第１部分と、
前記第１部分から離隔するように配置され、前記第１部分との間にガス拡散空間を形成し、前記ベントホールの排出口側に形成される第２オリフィスを有する第２部分と、を含む、請求項１に記載のバッテリーパック。
【請求項３】
前記音発生器は、
前記ベントホールの流入口側に配置されるガス通過ホールを有する隔壁と、
前記隔壁に支持され、前記ガス通過ホールを通過したガスの流れによって振動しながら音を発生させるように構成される振動プレートと、を含む、請求項１に記載のバッテリーパック。
【請求項４】
前記ベントホールの排出口側には、前記音発生器から離隔するように設けられ、前記音発生器から発生した音の音波が衝突するように構成される衝突壁を備える、請求項１から３のいずれか一項に記載のバッテリーパック。
【請求項５】
前記ベントホールの排出口側には、前記音発生器から発生した音の音波を反射する凹部を備える、請求項１から４のいずれか一項に記載のバッテリーパック。
【請求項６】
前記ベントホールの流入口側で前記流入口を遮断するように設けられ、ベントホールの内部へのガスの流動を許容するが前記ケーシング内への水分の流入は遮断する水分遮断膜を備える、請求項１から５のいずれか一項に記載のバッテリーパック。
【請求項７】
前記ケーシングは上部ハウジング及び下部ハウジングを含み、前記ベントホールは前記上部ハウジングに形成され、前記バッテリーセルは前記下部ハウジングに収容される、請求項１から６のいずれか一項に記載のバッテリーパック。
【請求項８】
前記上部ハウジングには、前記ベントホールと連通し、前記ガスを捕集するガス捕集空間が形成される、請求項７に記載のバッテリーパック。
【請求項９】
請求項１〜８のいずれか一項に記載のバッテリーパックを備える、デバイス。
【請求項１０】
前記デバイスは、コンピュータ、携帯電話、ウェアラブル電子機器、動力工具（ｐｏｗｅｒ  ｔｏｏｌ）、電気自動車（Ｅｌｅｃｔｒｉｃ  Ｖｅｈｉｃｌｅ：ＥＶ）、ハイブリッド電気自動車、プラグインハイブリッド電気自動車、電気二輪車、電気ゴルフカート、及び電力貯蔵装置のいずれか一つである、請求項９に記載のデバイス。
【発明の詳細な説明】
【技術分野】
【０００１】
本発明はバッテリーパックに関するものである。
【背景技術】
【０００２】
最近、ノートブック型コンピュータ、スマートフォン、タブレット型コンピュータのような携帯用電子機器の需要が増大するのに従い、反復的に充放電可能な高性能二次電池に対する研究が活発に行われている。
【０００３】
また、携帯用電子機器のような小型装置だけではなく、自動車、ロボット、衛星のような中大型装置にも二次電池が広く用いられている。特に、化石燃料の枯渇及び環境汚染に対する関心が高くなるのに従い、ハイブリッド自動車と電気自動車に対する研究が活発に行われている。このようなハイブリッド自動車や電気自動車における最も核心的部品はモーターに電力を供給するバッテリーパックである。バッテリーパックは複数のバッテリーセルを含むバッテリーモジュールを含み、複数のバッテリーセルが互いに直列及び／又は並列で連結されることにより、バッテリーモジュールの容量及び出力が増大する。
【０００４】
基本的に、バッテリーセルは、複数の電極板を分離膜を挟んで積層し、複数の電極板に複数の電極タブをそれぞれ熔接して電極組立体を形成した後、電極組立体をアルミニウムパウチで包んで密封する工程によって製造される。
【０００５】
このようなバッテリーパックの使用中、バッテリーセルからガスが発生し得る。このようなガスは、バッテリーセルの寿命が尽きたか、高温に露出されるか、過充電又は内部短絡などが発生したとき、電解質の分解によって発生し得る。バッテリーセルのパウチには、通常このように発生したガスによる安全事故を防止するために、ガス排出構造を備えている。
【０００６】
しかし、従来のバッテリーパックは、バッテリーセルからガスの発生をすぐ確認することができる構成を備えていない。よって、バッテリーセルからガスが発生する場合、バッテリーパックの交換などの措置を取ることができるように、使用者がガスの発生をすぐ確認することができる構成が要求される。
【発明の概要】
【発明が解決しようとする課題】
【０００７】
本発明は従来技術の問題を解決するためのもので、本発明の目的は、バッテリーセルからのガスの発生を使用者がすぐ確認することができるようにするバッテリーパックを提供することである。
【課題を解決するための手段】
【０００８】
前述した目的を達成するための本発明の実施例によるバッテリーパックは、バッテリーセルと、バッテリーセルを収容するように構成され、バッテリーセルから発生するガスが排出されるベントホールが形成されたケーシングと、ベントホールの内部にベントホールを遮断するように設けられ、ガスが通過するように構成され、ガスがベントホールを通してケーシングの外部に排出されるとき、ガスの流れによって音を発生させるように構成される音発生器とを含むことができる。
【０００９】
音発生器は、ベントホールの流入口側に形成される第１オリフィスを有する第１部分と、第１部分から離隔するように配置され、第１部分との間にガス拡散空間を形成し、ベントホールの排出口側に形成される第２オリフィスを有する第２部分とを含むことができる。
【００１０】
音発生器は、ベントホールの流入口側に配置されるガス通過ホールを有する隔壁と、隔壁に支持され、ガス通過ホールを通過したガスの流れによって振動しながら音を発生させるように構成される振動プレートとを含むことができる。
【００１１】
ベントホールの排出口側には、音発生器から離隔するように設けられ、音発生器から発生した音の音波が衝突するように構成される衝突壁を備えることができる。
【００１２】
ベントホールの排出口側には、音発生器から発生した音の音波を反射する凹部を備えることができる。
【００１３】
ベントホールの流入口側で流入口を遮断するように設けられ、ベントホールの内部へのガスの流動を許容するがケーシング内への水分の流入は遮断する水分遮断膜を備えることができる。
【００１４】
ケーシングは上部ハウジング及び下部ハウジングを含み、ベントホールは上部ハウジングに形成され、バッテリーセルは下部ハウジングに収容されることができる。
【００１５】
上部ハウジングには、ベントホールと連通し、ガスを捕集するガス捕集空間が形成されることができる。
【図面の簡単な説明】
【００１６】
本明細書に添付する次の図面は本発明の好適な実施例を例示するものであり、後述する発明の詳細な説明とともに本発明の技術思想をもっと理解させる役割を果たすものであるので、本発明はその図面に記載した事項のみに限定されて解釈されてはいけない。
【００１７】
【図１】本発明の第１実施例によるバッテリーパックを概略的に示した斜視図である。
【００１８】
【図２】本発明の第１実施例によるバッテリーパックを概略的に示した断面図である。
【００１９】
【図３】本発明の第１実施例によるバッテリーパックの音発生器及び音発生器を通過するガスの流れを概略的に示した断面図である。
【００２０】
【図４】本発明の第２実施例によるバッテリーパックの音発生器及び水分遮断膜を概略的に示した断面図である。
【００２１】
【図５】本発明の第３実施例によるバッテリーパックの音発生器及び音発生器を通過するガスの流れを概略的に示した断面図である。
【発明を実施するための形態】
【００２２】
本発明の実施形態は通常の技術者に本発明をより完全に説明するために提供するものであるので、図面での構成要素の形状及び大きさなどは、より明確な説明のために、誇張するか省略するか又は概略的に図示することができる。したがって、各構成要素の大きさ又は比率は実在の大きさ又は比率をそのまま反映するものではない。
【００２３】
以下、添付図面を参照して本発明の好適な実施例を詳細に説明する。この説明に先立ち、本明細書及び請求範囲に使用した用語又は単語は通常的又は辞書的意味に限定して解釈されてはいけなく、発明者は自分の発明を最良の方法で説明するために用語の概念を適切に定義することができるという原則に即して本発明の技術的思想に合う意味と概念に解釈されなければならない。
【００２４】
図１は本発明の第１実施例によるバッテリーパックを概略的に示した斜視図で、図２は本発明の第１実施例によるバッテリーパックを概略的に示した断面図である。
【００２５】
図１及び図２に示したように、本発明の第１実施例によるバッテリーパックは、内部空間を有するケーシング１００と、ケーシング１００に形成される貫通ホール（図示せず）を通して外部に露出される電極ターミナル２１０、２２０と、ケーシング１００の内部に配置され、複数のバッテリーセル３００とを有するバッテリーモジュールを含む。
【００２６】
図１に示したように、電極ターミナル２１０、２２０は、図１の上方に露出されるように構成されることができる。
【００２７】
図１に示したように、ケーシング１００は略直方体の形状を有することができるが、本発明はこのようなケーシング１００の形状に限定されない。ケーシング１００は、バッテリーセル３００を外力から保護する役割を果たす。ケーシング１００は、上部ハウジング１１０及び下部ハウジング１２０を含む。上部ハウジング１１０及び下部ハウジング１２０が互いに結合することにより、ケーシング１００の内部にバッテリーセル３００が収容される内部空間が形成される。
【００２８】
上部ハウジング１１０及び下部ハウジング１２０はプラスチックからなることができる。このような場合、上部ハウジング１１０及び下部ハウジング１２０は溶接によって互いに接合されることができる。これにより、ケーシング１００の内部は防塵及び防水構造を有することができる。ただ、本発明は上部ハウジング１１０及び下部ハウジング１２０の素材に限定されない。また、上部ハウジング１１０及び下部ハウジング１２０は、溶接の代わりに、ボルティング、リベッティングなどの多様な締結手段によって互いに結合されることができる。
【００２９】
下部ハウジング１２０は複数のバッテリーセル３００を収容することができる。例えば、バッテリーセル３００はパウチ型バッテリーセルであり得る。パウチ型バッテリーセルは、複数の電極板を分離膜を挟んで積層して構成される電極組立体と、電極組立体を包むパウチとを含むことができる。下部ハウジング１２０は、バッテリーセル３００の幅及び長さにそれぞれ対応する幅及び高さを有するバッテリーセル収容空間を有することができる。
【００３０】
上部ハウジング１１０には、バッテリーセル３００で発生するガスが排出されるベントホール１９０が形成されることができる。ベントホール１９０は、ガスが流入する流入口１９１と、ガスが排出される排出口１９２とを有する。よって、バッテリーセル３００の問題のためバッテリーセル３００から発生したガスは下部ハウジング１２０から上部ハウジング１１０に流動した後、予め設定された圧力の下で上部ハウジング１１０のベントホール１９０を通して外部に排出されることができる。
【００３１】
一方、上部ハウジング１１０には、ベントホール１９０と連通するガス捕集空間１６０を備えることができる。ガス捕集空間１６０は、バッテリーセル３００から発生したガスを捕集することができる。したがって、ガス捕集空間１６０に捕集されたガスの圧力が予め設定された圧力に到逹した場合、ガスがベントホール１９０を通して外部に排出されることができる。
【００３２】
一例として、ガス捕集空間１６０はケーシング１００の上部中央に位置することができ、ベントホール１９０はケーシング１００の垂直中心軸を基準に一側に偏心した位置に位置することができる。よって、バッテリーセル３００から発生したガスがすぐケーシング１００の上部中央（上部ハウジング１１０の中央）のガス捕集空間１６０に流動することができる。そして、ガス捕集空間１６０に流動したガスがすぐベントホール１９０に向かって流動することができる。
【００３３】
本発明の第１実施例によるバッテリーパックは、バッテリーセル３００からガスが発生した場合、使用者がこれをすぐ確認することができるように音を発生させる音発生器４００を含むことができる。
【００３４】
以下、図３を参照して本発明の第１実施例によるバッテリーパックの音発生器４００について説明する。図３は本発明の第１実施例によるバッテリーパックの音発生器及び音発生器を通過するガスの流れを概略的に示した断面図である。
【００３５】
図３に示したように、音発生器４００はバッテリーパックのケーシング１００のベントホール１９０に装着されることができる。
【００３６】
一例として、音発生器４００は単一モジュールとして構成されてケーシング１００のベントホール１９０の内部に挿合されることができる。音発生器４００は、ベントホール１９０の内部空間の大きさに対応する大きさを有することができる。これにより、音発生器４００がベントホール１９０の内部に締まりばめ方式で締結されて安定的に維持されることができる。
【００３７】
代案として、音発生器４００がベントホール１９０の内部に挿入された後、溶接、ボルティング、リベッティング、接着剤などによってベントホール１９０の内部に安定的に装着されることができる。
【００３８】
音発生器４００が別途の単一モジュールとして構成されるので、音発生器４００が既存の構造を有するバッテリーパックのベントホール１９０に挿入されて使われることができる。よって、音発生器４００を既存の構造を有するバッテリーパックに容易に適用することができる。この場合、ベントホール１９０の排出口１９２側には、音発生器４００がベントホール１９０を通過することができる大きさの空間を確保することができる。
【００３９】
ただ、本発明は音発生器４００が別途のモジュールとして構成されるものに限定されない。他の例として、音発生器４００はケーシング１００と一体に成形されることができる。例えば、音発生器４００は、射出成形、インサート射出成形などを介してケーシング１００と一体に成形されることができる。
【００４０】
音発生器４００はベントホール１９０の内部でベントホール１９０を遮断するように取り付けられ、ガスが通過するように構成される。よって、ベントホール１９０の流入口１９１に流入したガスがベントホール１９０の排出口１９２に排出される過程で、ガスが音発生器４００を通過しながら音を発生させる。
【００４１】
音発生器４００は、ベントホール１９０の流入口１９１側に形成される第１オリフィス４１１を有する第１部分４１０と、第１部分４１０から離隔するように配置され、第１部分４１０との間にガス拡散空間４３０を形成し、ベントホール１９０の排出口１９２側に形成される第２オリフィス４２１を有する第２部分４２０とを含むことができる。
【００４２】
場合によって、第１部分４１０は複数の第１オリフィス４１１を有することができる。複数の第１オリフィス４１１は、ベントホール１９０の流入口１９１の中心を基準に円周方向に一定の間隔で配置されることができる。同様に、第２部分４２０は複数の第２オリフィス４２１を有することができる。複数の第２オリフィス４２１はベントホール１９０の排出口１９２の中心を基準に円周方向に一定の間隔で配置されることができる。
【００４３】
ガスの渦巻を効果的に生成するために、第１オリフィス４１１の内径は、ベントホール１９０の流入口１９１からガス拡散空間４３０の方向に次第に増加することができる。ただ、本発明はこのような構成に限定されず、第１オリフィス４１１は一定の内径を有することができる。同様に、ガスの渦巻を効果的に生成するために、第２オリフィス４２１の内径は、ガス拡散空間４３０からベントホール１９０の排出口１９２の方向に次第に増加することができる。ただ、本発明はこのような構成に限定されず、第２オリフィス４２１は一定の内径を有することができる。
【００４４】
このような構成によれば、ベントホール１９０の流入口１９１に流入したガスは音発生器４００の第１部分４１０を押圧するにつれてガスの圧力が上昇する。
【００４５】
ベントホール１９０の流入口１９１のガスの圧力が所定の圧力に到逹すれば、第１部分４１０を押圧するガスの一部が第１オリフィス４１１を通過した後、ガス拡散空間４３０に噴出される。
【００４６】
ここで、ガス拡散空間４３０に噴出されたガスは非常に不安定に流動しながら渦巻を発生させる。また、ガス拡散空間４３０に噴出されたガスは第２部分４２０と衝突する。よって、このようなガスの渦巻及び第２部分４２０とのガスの衝突によって音波を発生する。
【００４７】
そして、ガス拡散空間４３０内のガスの一部が第２部分４２０の第２オリフィス４２１を通過して外部に噴出されながら渦巻を生成することになる。このような渦巻によって音波が発生する。
【００４８】
このように、ガスの噴出によって発生する音波は使用者に伝達される。これにより、ベントホール１９０の排出口１９２からガスが噴出される状況を使用者がすぐ確認するようにすることができる。
【００４９】
一方、ベントホール１９０の排出口１９２側には、音発生器４００から離隔するように設けられ、音発生器４００から発生した音の音波が衝突するように構成される衝突壁１８０を備えることができる。衝突壁１８０は、使用者が音を正確に聞くことができる位置に向けて音波を反射させる役割を果たすことができる。
【００５０】
衝突壁１８０は、ベントホール１９０の排出口１９２側に隣接した位置の上部ハウジング１１０に形成されることができる。ただ、本発明はこのような構成に限定されず、衝突壁１８０は音発生器４００と一体に構成されることができる。これにより、音発生器４００は衝突壁１８０を含む単一モジュールとして構成され、ベントホール１９０の内部に装着されることができる。
【００５１】
また、ベントホール１９０の排出口１９２側には、音発生器４００から発生された音の音波を反射する凹部１７０をさらに備えることができる。衝突壁１８０と同様に、凹部１７０は使用者が音を正確に聞くことができる位置に向けて音波を反射させる役割を果たすことができる。
【００５２】
凹部１７０は、ベントホール１９０の排出口１９２から出る音波の円滑な反射を誘導するように湾曲した表面を有することができる。また、凹部１７０の湾曲した表面は衝突壁１８０に向かって湾曲することができる。一方、衝突壁１８０、凹部１７０、ベントホール１９０の排出口１９２及び音発生器４００の第２部分４２０はその間に所定のボウル状の空間を形成する。このような空間は使用者が音を正確に聞くことができる位置に向けて音波を反射させる役割を果たすことができる。
【００５３】
凹部１７０はベントホール１９０の排出口１９２側に隣接した位置の上部ハウジング１１０に形成されることができる。ただ、本発明はこのような構成に限定されず、凹部１７０は音発生器４００と一体に構成されることができる。これにより、音発生器４００は凹部１７０を含む単一モジュールとして構成され、ベントホール１９０の内部に装着されることができる。
【００５４】
本発明の第１実施例によるバッテリーパックは、バッテリーセル３００から発生したガスの流れによって音を発生させるように構成される音発生器４００を含むので、バッテリーセル３００からガスが発生する場合、これを使用者がすぐ確認するようにすることができる。
【００５５】
また、本発明の第１実施例によれば、バッテリーパックの音発生器４００はガスの流れのみによって音を発生させるように構成されるので、追加的な電力又は動力又は別途のセンサーの必要なしに、使用者がガスの発生を確認するようにすることができる。
【００５６】
以下、図４を参照して本発明の第２実施例によるバッテリーパックについて説明する。本発明の第１実施例の構成要素と同じ構成要素に対しては同じ符号を付与し、これについての詳細な説明は省略する。
【００５７】
図４は本発明の第２実施例によるバッテリーパックの音発生器及び水分遮断膜を概略的に示した断面図である。
【００５８】
図４に示したように、本発明の第２実施例によるバッテリーパックは、ベントホール１９０の流入口１９１側で流入口１９１を遮断するように設けられ、ベントホール１９０の内部へのガスの流動を許容するがケーシング内への水分の流入は遮断するように構成される水分遮断膜５００を備えることができる。
【００５９】
水分遮断膜５００はガス捕集空間１６０とベントホール１９０との間に位置してガス捕集空間１６０及びベントホール１９０を区画する。水分遮断膜５００は、溶接、ボルティング、リベッティング、接着剤などの多様な締結手段によってベントホール１９０の流入口１９１に固定結合されることができる。
【００６０】
水分遮断膜５００は予め設定された圧力のガスの通過を許容するように構成される。よって、ガス捕集空間１６０に捕集されたガスの圧力が予め設定された圧力に到逹するとき、ガス捕集空間１６０に存在するガスが水分遮断膜５００を通してベントホール１９０の内部で流動し、音発生器４００を通過しながら音を発生させることができる。
【００６１】
本発明の第２実施例によるバッテリーパックによれば、ガス捕集空間１６０とベントホール１９０との間に水分遮断膜５００を備えるので、ケーシング１００の内部に水分が流入することを防止することができる。そして、ケーシング１００の内部のガスの圧力が予め設定された圧力に到逹した場合にのみベントホール１９０を通してガスが外部に排出されるようにすることができる。
【００６２】
以下、図５を参照して本発明の第３実施例によるバッテリーパックについて説明する。本発明の第１及び第２実施例構成要素と同じ構成要素に対しては同じ符号を付与し、これについての詳細な説明は省略する。
【００６３】
図５は本発明の第３実施例によるバッテリーパックの音発生器及び音発生器を通過するガスの流れを概略的に示した断面図である。
【００６４】
図５に示したように、本発明の第３実施例によるバッテリーパックは音発生器６００を含むことができる。音発生器６００は、ベントホール１９０の流入口１９１側に配置され、ガス通過ホール６１１を有する隔壁６１０と、隔壁６１０に支持され、ガス通過ホール６１１を通過したガスの流れによって振動しながら音を発生させるように構成される振動プレート６２０とを含むことができる。
【００６５】
一例として、音発生器６００は単一モジュールとして構成され、ケーシング１００のベントホール１９０の内部に挿入されることができる。音発生器６００はベントホール１９０の内部空間の大きさに対応する大きさを有することができ、よって、音発生器６００がベントホール１９０の内部に締まりばめ方式で締結されて安定的に維持されることができる。
【００６６】
代案として、音発生器６００がベントホール１９０の内部に挿入された後、音発生器６００が、溶接、ボルティング、リベッティング、接着剤などによってベントホール１９０の内部に安定的に装着されることができる。
【００６７】
音発生器６００が別途の単一モジュールとして構成されるので、音発生器６００が既存の構造を有するバッテリーパックのベントホール１９０に挿入されて使われることができる。よって、音発生器６００を既存の構造を有するバッテリーパックに容易に適用することができる。この場合、ベントホール１９０の排出口１９２側には、音発生器６００がベントホール１９０を通過することができる大きさを有する空間を確保することができる。
【００６８】
ただ、本発明は音発生器６００が別途のモジュールとして構成されるものに限定されなく、他の例として、音発生器６００はケーシング１００と一体に成形されることができる。例えば、音発生器６００は、射出成形、インサート射出成形などによってケーシング１００と一体に成形されることができる。
【００６９】
隔壁６１０は複数のガス通過ホール６１１を有することができる。複数のガス通過ホール６１１は振動プレート６２０の円周方向に一定の間隔で配置されることができる。
【００７０】
振動プレート６２０は所定の柔軟性を有するプラスチック又は金属からなることができる。振動プレート６２０はその中央が所定のバー形態の連結部材を介して隔壁６１０の中央に固定されることができる。
【００７１】
このような構成によれば、ベントホール１９０の流入口１９１に流入したガスが音発生器６００の隔壁６１０を押圧するにつれてガスの圧力が上昇する。ここで、隔壁６１０を押圧するガスの一部がガス通過ホール６１１を通過しながら振動プレート６２０に向かって噴出される。これにより、振動プレート６２０が噴出されたガスによって振動しながら周辺の空気を振動させて音波を発生させることができる。
【００７２】
本発明の第３実施例によれば、バッテリーパックの音発生器６００はガスの流れによってのみ音を発生させるように構成されるので、追加的な電力又は動力又は別途のセンサーの必要なしに、使用者がガスの発生を確認するようにすることができる。
【００７３】
本発明の実施例によるバッテリーパックは、バッテリーパックを電源として含むデバイスに適用可能である。
【００７４】
例えば、デバイスは、コンピュータ、携帯電話、ウェアラブル電子機器、動力工具（ｐｏｗｅｒ  ｔｏｏｌ）、電気自動車（Ｅｌｅｃｔｒｉｃ  Ｖｅｈｉｃｌｅ：ＥＶ）、ハイブリッド電気自動車、プラグインハイブリッド電気自動車、電気二輪車、電気ゴルフカート、又は電力貯蔵装置であり得る。電力貯蔵装置は、電力需給の調節のためのスマートグリッドシステム又は電気自動車の充電所などの多くの分野及び場所に適用可能である。
【００７５】
本発明の好適な実施例を例示的に説明したが、本発明の範囲はこのような特定の実施例に限定されず、請求範囲に記載した範疇内で適切に変更可能である。
【産業上の利用可能性】
【００７６】
本発明の実施例によるバッテリーパックは、バッテリーセルから発生したガスの流れによって音を発生させるように構成される音発生器を含む。よって、バッテリーセルからガスが発生する場合、これを使用者がすぐ確認するようにすることができる。
【００７７】
本発明の実施例によれば、バッテリーパックの音発生器はガスの流れによってのみ音を発生させるように構成されるので、追加的な電力又は動力又は別途のセンサーの必要なしに、使用者がガスの発生を確認するようにすることができる。
【符号の説明】
【００７８】
１００    ケーシング
３００    バッテリーセル
４００    音発生器
５００    水分遮断膜
６００    音発生器
【図１】
2021516435.tif 000003
【図２】
2021516435.tif 000004
【図３】
2021516435.tif 000005
【図４】
2021516435.tif 000006
【図５】
2021516435.tif 000007
【手続補正書】
【提出日】令和2年9月14日(2020.9.14)
【手続補正１】
【補正対象書類名】図面
【補正対象項目名】図２
【補正方法】変更
【補正の内容】
【図２】
2021516435.tif 000008
【国際調査報告】
2021516435.tif 000009
2021516435.tif 000010
2021516435.tif 000011
2021516435.tif 000012